(57)【要約】【課題】仮想空間とともに提示される情報を見やすく表示する。【解決手段】情報処理システムは、仮想空間とともに、当該仮想空間内の位置に関連付けて情報を提示する。情報処理システムは、仮想空間内の位置に関連付けられる複数の提示情報のうちの一部を第１表示領域に表示させる。第１表示領域に表示される提示情報は、ユーザの入力に応じて変更される。情報処理システム１は、複数の提示情報のうちの一部を選択する。このとき、第１表示領域における提示情報の表示が変更されることに応じて、選択する提示情報が変更される。情報処理システムは、第１表示領域とは異なる第２表示領域に、仮想空間とともに、選択された提示情報を仮想空間の位置に関連付けて表示させる。【選択図】図６
2014182714.tif 000002
【特許請求の範囲】
【請求項１】
仮想空間とともに、当該仮想空間内の位置に関連付けて情報を提示するための情報処理装置のコンピュータにおいて実行される情報処理プログラムであって、
前記仮想空間内の位置に関連付けられる複数の提示情報のうちの一部を第１表示領域に表示させ、当該第１表示領域に表示される提示情報をユーザの入力に応じて変更する第１表示制御手段と、
前記複数の提示情報のうちの一部を選択し、前記第１表示領域における提示情報の表示が変更されることに応じて、選択する提示情報を変更する選択手段と、
前記第１表示領域とは異なる第２表示領域に、前記仮想空間とともに、前記選択された提示情報を前記仮想空間の位置に関連付けて表示させる第２表示制御手段として前記コンピュータを機能させる、情報処理プログラム。
【請求項２】
前記第１表示制御手段は、前記複数の提示情報が配置された提示情報群画像の一部を前記第１表示領域に表示させ、
前記選択手段は、前記提示情報群画像のうちの前記第１表示領域に表示される表示範囲と、前記提示情報群画像上における提示情報の位置との位置関係が所定の位置関係となる提示情報を選択する、請求項１に記載の情報処理プログラム。
【請求項３】
前記選択手段は、前記第１表示領域に表示されていることを少なくとも条件として提示情報を選択する、請求項１または請求項２に記載の情報処理プログラム。
【請求項４】
前記選択手段は、前記仮想空間内の位置に関連付けられる前記複数の提示情報のうちから２以上の提示情報を選択する、請求項１から請求項３のいずれか１項に記載の情報処理プログラム。
【請求項５】
前記第２表示制御手段は、前記仮想空間内の位置に関連付けられる前記複数の提示情報のうちで選択されていない提示情報を、選択されている提示情報とは異なる態様で、前記仮想空間の位置に関連付けて前記第２表示領域に表示させる、請求項１から請求項４のいずれか１項に記載の情報処理プログラム。
【請求項６】
前記第２表示制御手段は、前記選択されている提示情報を、前記選択されていない提示情報よりも強調された表示態様で、および／または、前記選択されない提示情報よりも詳細な情報を提示する表示態様で表示させる、請求項５に記載の情報処理プログラム。
【請求項７】
前記第１表示制御手段は、前記複数の提示情報が所定の順序で配置された画像の一部を前記第１表示領域に表示させ、
前記第２表示制御手段は、少なくとも前記選択されていない提示情報を、前記第１表示領域における前記所定の順序を識別可能な表示態様で表示させる、請求項５または請求項６に記載の情報処理プログラム。
【請求項８】
前記複数の提示情報には、各提示情報を識別可能な識別情報が付されており、
前記第１表示制御手段は、前記提示情報を表す画像として、前記識別情報を含む画像を前記第１表示領域に表示させ、
前記第２表示制御手段は、少なくとも前記選択されていない提示情報について、前記識別情報を含む画像を前記第２表示領域に表示させる、請求項５から請求項７のいずれか１項に記載の情報処理プログラム。
【請求項９】
前記第２表示制御手段は、前記選択手段によって選択される前記提示情報が変更されることに応じて、選択されなくなった提示情報の表示態様を、選択されている場合から変更して当該提示情報を表示する、請求項５から請求項８のいずれか１項に記載の情報処理プログラム。
【請求項１０】
前記第１表示制御手段は、前記複数の提示情報が並んで配置された一覧画像の一部を前記第１表示領域に表示させる、請求項１から請求項９のいずれか１項に記載の情報処理プログラム。
【請求項１１】
前記第１表示制御手段は、前記一覧画像のうちで前記第１表示領域に表示される表示範囲を前記ユーザの入力に応じて移動することで、前記第１表示領域に表示される提示情報を変更し、
前記第２表示制御手段は、前記複数の提示情報が関連付けられる各位置が含まれる範囲の前記仮想空間の画像を前記第２表示領域に表示させる、請求項１０に記載の情報処理プログラム。
【請求項１２】
前記第２表示領域は、前記第１表示領域が設けられる表示装置とは異なる表示装置に設けられる、請求項１から請求項１１のいずれか１項に記載の情報処理プログラム。
【請求項１３】
前記第１表示領域に表示される前記提示情報のうち１つを指定する指定入力がユーザから受け付けられたことに応じて、指定された提示情報に関する第１コンテンツ画像を前記第１表示領域に表示するとともに、当該指定された提示情報に関するコンテンツ画像であって当該第１コンテンツ画像と同じまたは異なる第２コンテンツ画像を前記第２表示領域に表示するコンテンツ表示手段として前記コンピュータをさらに機能させる、請求項１２に記載の情報処理プログラム。
【請求項１４】
前記第１表示領域に表示される前記提示情報のうち１つを指定する指定入力に応じて、指定された提示情報に関連付けられた情報処理を実行する処理実行手段として前記コンピュータをさらに機能させる、請求項１から請求項１３のいずれか１項に記載の情報処理プログラム。
【請求項１５】
前記第２表示制御手段は、前記仮想空間として地図を表す画像を前記第２表示領域に表示させるとともに、前記提示情報として、前記地図上の地点を表す画像を当該地点に関連付けて前記第２表示領域に表示させる、請求項１から請求項１４のいずれか１項に記載の情報処理プログラム。
【請求項１６】
前記第２表示制御手段は、前記選択された提示情報に関連付けられる位置が、前記仮想空間のうちで前記第２表示領域に表示される表示範囲に含まれるように、当該表示範囲を当該各位置に基づいて変化させる、請求項１から請求項１０のいずれか１項に記載の情報処理プログラム。
【請求項１７】
仮想空間とともに、当該仮想空間内の位置に関連付けて情報を提示するための情報処理装置であって、
前記仮想空間内の位置に関連付けられる複数の提示情報のうちの一部を第１表示領域に表示させ、当該第１表示領域に表示される提示情報をユーザの入力に応じて変更する第１表示制御部と、
前記複数の提示情報のうちの一部を選択し、前記第１表示領域における提示情報の表示が変更されることに応じて、選択する提示情報を変更する選択部と、
前記第１表示領域とは異なる第２表示領域に、前記仮想空間とともに、前記選択された提示情報を前記仮想空間の位置に関連付けて表示させる第２表示制御部とを備える、情報処理装置。
【請求項１８】
仮想空間とともに、当該仮想空間内の位置に関連付けて情報を提示するための情報処理システムであって、
前記仮想空間内の位置に関連付けられる複数の提示情報のうちの一部を第１表示領域に表示させ、当該第１表示領域に表示される提示情報をユーザの入力に応じて変更する第１表示制御部と、
前記複数の提示情報のうちの一部を選択し、前記第１表示領域における提示情報の表示が変更されることに応じて、選択する提示情報を変更する選択部と、
前記第１表示領域とは異なる第２表示領域に、前記仮想空間とともに、前記選択された提示情報を前記仮想空間の位置に関連付けて表示させる第２表示制御部とを備える、情報処理システム。
【請求項１９】
仮想空間とともに、当該仮想空間内の位置に関連付けて情報を提示するための情報処理装置において実行される情報提示方法であって、
前記仮想空間内の位置に関連付けられる複数の提示情報のうちの一部を第１表示領域に表示させ、当該第１表示領域に表示される提示情報をユーザの入力に応じて変更する第１表示制御ステップと、
前記複数の提示情報のうちの一部を選択し、前記第１表示領域における提示情報の表示が変更されることに応じて、選択する提示情報を変更する選択ステップと、
前記第１表示領域とは異なる第２表示領域に、前記仮想空間とともに、前記選択された提示情報を前記仮想空間の位置に関連付けて表示させる第２表示制御ステップとを備える、情報提示方法。
【発明の詳細な説明】
【技術分野】
【０００１】
本発明は、地図等の仮想空間とともに情報を提示するための情報処理プログラム、情報処理システム、情報処理装置、および、情報提示方法に関する。
【背景技術】
【０００２】
従来、地図を表示するとともに、地図上に情報を付加して表示する技術がある（例えば、特許文献１参照）。
【先行技術文献】
【特許文献】
【０００３】
【特許文献１】特開２０１０−２６４１５１号公報
【発明の概要】
【発明が解決しようとする課題】
【０００４】
地図等の仮想空間上に多くの情報が付加されて提示される場合には、情報を見やすく提示することが難しい場合があった。
【０００５】
それ故、本発明の目的は、仮想空間とともに提示される情報を見やすく表示することが可能な情報処理プログラム、情報処理システム、情報処理装置、および、情報提示方法を提供することである。
【課題を解決するための手段】
【０００６】
上記の課題を解決すべく、本発明は、以下の（１）〜（１６）の構成を採用した。
【０００７】
（１）
本発明の一例は、仮想空間とともに、当該仮想空間内の位置に関連付けて情報を提示するための情報処理装置のコンピュータにおいて実行される情報処理プログラムである。情報処理プログラムは、第１表示制御手段と、選択手段と、第２表示制御手段としてコンピュータを機能させる。
第１表示制御手段は、仮想空間内の位置に関連付けられる複数の提示情報のうちの一部を第１表示領域に表示させ、当該第１表示領域に表示される提示情報をユーザの入力に応じて変更する。選択手段は、複数の提示情報のうちの一部を選択し、第１表示領域における提示情報の表示が変更されることに応じて、選択する提示情報を変更する。第２表示制御手段は、第１表示領域とは異なる第２表示領域に、仮想空間とともに、選択された提示情報を仮想空間の位置に関連付けて表示させる。
【０００８】
上記「第１表示領域における提示情報の表示が変更される」とは、第１表示領域に表示される提示情報が変更されること、および、第１表示領域に表示される提示情報の位置が変更されることを含む意味である。つまり、選択手段は、スクロールあるいはページの切り替え等によって、第１表示領域に表示される提示情報が変更されたことに応じて、選択する提示情報を変更してもよい。また、選択手段は、スクロールや拡大／縮小によって、第１表示領域に表示される提示情報の位置が変更された（例えば、第１表示領域の中央に表示される提示情報が変更された）ことに応じて、選択する提示情報を変更してもよい。
【０００９】
上記（１）の構成によれば、第２表示領域には、仮想空間内に設定される複数の提示情報のうちで、第１表示領域における表示に応じた一部の提示情報が表示される。したがって、仮想空間内に多くの提示情報が設定される場合であっても、提示情報を見やすく表示することができる。
【００１０】
（２）
第１表示制御手段は、複数の提示情報が配置された提示情報群画像の一部を第１表示領域に表示させてもよい。選択手段は、提示情報群画像のうちの第１表示領域に表示される表示範囲と、提示情報群画像上における提示情報の位置との位置関係が所定の位置関係となる提示情報を選択してもよい。
【００１１】
上記（２）の構成によれば、提示情報群画像のうちの第１表示領域に表示される表示範囲と、提示情報群画像上における提示情報の位置との位置関係によって、提示情報が選択される。したがって、例えば表示位置が画面上における所定の範囲内となる提示情報を選択する等、表示位置に応じて提示情報を選択することができる。これによって、第１表示領域の表示状況に応じた適切な提示情報を選択し、第２表示領域に表示させることができる。
【００１２】
（３）
選択手段は、第１表示領域に表示されていることを少なくとも条件として提示情報を選択してもよい。
【００１３】
上記（３）の構成によれば、第１表示領域において表示されている提示情報と、第２表示領域において表示される提示情報との間で同期を取ることができるので、提示情報をよりわかりやすく表示することができる。
【００１４】
（４）
選択手段は、仮想空間内の位置に関連付けられる複数の提示情報のうちから２以上の提示情報を選択してもよい。
【００１５】
上記（４）の構成によれば、第２表示領域において、一度に複数の提示情報をユーザに対して提示することができる。
【００１６】
（５）
第２表示制御手段は、仮想空間内の位置に関連付けられる複数の提示情報のうちで選択されていない提示情報を、選択されている提示情報とは異なる態様で、仮想空間の位置に関連付けて第２表示領域に表示させてもよい。
【００１７】
上記（５）の構成によれば、選択された提示情報だけでなく、選択されていない提示情報についても第２表示領域に表示されるので、選択されていない提示情報もユーザに提供することができる。また、選択された提示情報と選択されていない提示情報とで表示態様が異なるので、ユーザは両者を容易に区別することができる。
【００１８】
（６）
第２表示制御手段は、選択されている提示情報を、選択されていない提示情報よりも強調された表示態様で、および／または、選択されない提示情報よりも詳細な情報を提示する表示態様で表示させてもよい。
【００１９】
上記（６）の構成によれば、選択されていない提示情報に比べて選択されている提示情報の方をユーザに注目させることができる。また、選択された提示情報を見やすく表示することができる。
【００２０】
（７）
第１表示制御手段は、複数の提示情報が所定の順序で配置された画像の一部を第１表示領域に表示させてもよい。第２表示制御手段は、少なくとも選択されていない提示情報を、第１表示領域における所定の順序を識別可能な表示態様で表示させてもよい。
【００２１】
上記（７）の構成によれば、ユーザは、第２表示領域を見ることによって、第１表示領域に表示される提示情報の並びを認識（推測）することができる。これによれば、ユーザは、第２表示領域を参照して、第１表示領域に表示される提示情報を変更する操作を行うことができる。例えば、第２表示領域は、所望の提示情報を第１表示領域に表示したい場合に上記操作をどのように行うかの参考になる。したがって、上記（７）の構成によって、上記操作をより行いやすくすることができる。
【００２２】
（８）
複数の提示情報には、各提示情報を識別可能な識別情報が付されてもよい。第１表示制御手段は、提示情報を表す画像として、識別情報を含む画像を第１表示領域に表示させてもよい。第２表示制御手段は、少なくとも選択されていない提示情報について、識別情報を含む画像を第２表示領域に表示させてもよい。
【００２３】
上記（８）の構成によれば、選択されない提示情報について少なくとも、第１表示領域に表示される提示情報と、第２表示領域に表示される提示情報との対応をユーザに容易に認識させることができる。これによって、提示情報をよりわかりやすく表示することができる。
【００２４】
（９）
第２表示制御手段は、選択手段によって選択される提示情報が変更されることに応じて、選択されなくなった提示情報の表示態様を、選択されている場合から変更して当該提示情報を表示してもよい。
【００２５】
上記（９）の構成によれば、選択／非選択の変更に応じて提示情報の表示態様が切り替わるので、第２表示領域を見るユーザに対して選択の変更をわかりやすく通知することができる。
【００２６】
（１０）
第１表示制御手段は、複数の提示情報が並んで配置された一覧画像の一部を第１表示領域に表示させてもよい。
【００２７】
上記（１０）の構成によれば、第１表示領域によって複数の提示情報をわかりやすく表示することができる。
【００２８】
（１１）
第１表示制御手段は、一覧画像のうちで第１表示領域に表示される表示範囲をユーザの入力に応じて移動することで、第１表示領域に表示される提示情報を変更してもよい。第２表示制御手段は、複数の提示情報が関連付けられる各位置が含まれる範囲の仮想空間の画像を第２表示領域に表示させてもよい。
【００２９】
上記（１１）の構成によれば、第１表示領域においては、表示範囲を移動可能とすることによって、見やすい大きさで提示情報を表示することができる。また、第２表示領域においては、仮想空間に配置された多くの提示情報を表示することができる。なお、上記（５）の構成と上記（１１）の構成とを組み合わせる場合には、選択されていない提示情報も含めて第２表示領域に多くの提示情報を表示することができる。したがって、上記（１１）の構成によれば、第１表示領域によって見やすく提示情報を表示させることができるとともに、第２表示領域によって多くの提示情報を表示することができる。その結果、提示情報をわかりやすく表示することができる。
【００３０】
（１２）
第２表示領域は、第１表示領域が設けられる表示装置とは異なる表示装置に設けられてもよい。
【００３１】
上記（１２）の構成によれば、２つの表示装置を用いることによって、１人のユーザに対してのみならず、複数のユーザに対して提示情報を見やすく提供することができる。また、一方の表示装置が一部のユーザにとって見えない（または見にくい）場合であっても、当該一方の表示装置を見ることができるユーザと見ることが難しいユーザとの間でコミュニケーションをとることで、楽しみながら提示情報を見ることができる。
【００３２】
（１３）
情報処理プログラムは、コンテンツ表示手段としてコンピュータをさらに機能させてもよい。コンテンツ表示手段は、第１表示領域に表示される提示情報のうち１つを指定する指定入力がユーザから受け付けられたことに応じて、指定された提示情報に関する第１コンテンツ画像を第１表示領域に表示するとともに、当該指定された提示情報に関するコンテンツ画像であって当該第１コンテンツ画像と同じまたは異なる第２コンテンツ画像を第２表示領域に表示する。
【００３３】
上記（１３）の構成によれば、２つの表示装置にコンテンツ画像が表示されるので、複数のユーザに対してコンテンツ画像を見やすく提供することができる。また、２つの表示装置に表示されるコンテンツ画像が異なる場合には、提示情報に関する２種類のコンテンツ画像を見て楽しむことができる。
【００３４】
（１４）
情報処理プログラムは、処理実行手段としてコンピュータをさらに機能させてもよい。処理実行手段は、第１表示領域に表示される提示情報のうち１つを指定する指定入力に応じて、指定された提示情報に関連付けられた情報処理を実行する。
【００３５】
上記（１４）の構成によれば、ユーザは、提示情報を指定することによって、提示情報に関連付けられた情報処理を情報処理システムに実行させることができる。
【００３６】
（１５）
第２表示制御手段は、仮想空間として地図を表す画像を第２表示領域に表示させるとともに、提示情報として、地図上の地点を表す画像を当該地点に関連付けて第２表示領域に表示させてもよい。
【００３７】
上記（１５）の構成によれば、地図とともに、地図上の位置に関連付けて情報を提示する場合に、提示される情報を見やすく表示することができる。
【００３８】
（１６）
第２表示制御手段は、選択された提示情報に関連付けられる位置が、仮想空間のうちで第２表示領域に表示される表示範囲に含まれるように、当該表示範囲を当該各位置に基づいて変化させてもよい。
【００３９】
上記（１６）の構成によれば、例えば選択された複数の提示情報に関連付けられる各位置が仮想空間における一部に集まる場合でも、提示情報を見やすく表示することができる。
【００４０】
なお、本発明の別の一例は、上記（１）〜（１６）の情報処理プログラムを実行することによって実現される各手段と同等の手段を備える情報処理装置あるいは情報処理システムであってもよいし、上記（１）〜（１６）において実行される情報提示方法であってもよい。
【発明の効果】
【００４１】
本発明によれば、選択された提示情報を仮想空間内の位置に関連付けて表示することによって、関連情報を見やすく表示することができる。
【図面の簡単な説明】
【００４２】
【図１】本実施形態に係る情報処理システムの一例を示すブロック図
【図２】おすすめスポットを提示する場合において端末装置に表示される画像の一例を示す図
【図３】図２に示す状態においてテレビに表示される地図画像を示す図
【図４】図２に示す状態からリストの表示範囲が変更された場合において端末装置に表示される画像の一例を示す図
【図５】図４に示す状態においてテレビに表示される画像の一例を示す図
【図６】選択されるおすすめスポットが変更される場合における、端末装置およびテレビにおける表示の一例を示す図
【図７】おすすめスポットデータのデータ構造の一例を示す図
【図８】本実施形態において情報処理装置が実行する地図表示処理の流れの一例を示すフローチャート
【図９】本実施形態の変形例においてテレビに表示される地図画像の一例を示す図
【発明を実施するための形態】
【００４３】
［１．情報処理システムの構成］
以下、本実施形態の一例に係る情報処理プログラム、情報処理システム、情報処理装置、および、情報提示方法について説明する。図１は、本実施形態に係る情報処理システムの一例を示すブロック図である。図１において、情報処理システム１は、情報処理装置２、端末装置３、およびテレビ４を備える。本実施形態における情報処理システム１は、地図とともに、地図上の位置に関連付けられた情報を表示装置（端末装置３および／またはテレビ４）に表示するものである。
【００４４】
情報処理システム１は情報処理装置２を含む。情報処理装置２は、情報処理システム１において実行される情報処理（後述する地図表示処理）を実行する。情報処理装置２は、パーソナルコンピュータ、ゲーム装置、携帯端末、スマートフォン等、どのような形態の情報処理装置であってもよい。情報処理装置２は、端末装置３およびテレビ４と通信可能である。なお、情報処理装置２と端末装置３またはテレビ４との通信は、有線であってもよいし無線であってもよい。
【００４５】
図１に示すように、情報処理装置２は、ＣＰＵ１１、メモリ１２、および、プログラム記憶部１３を備える。ＣＰＵ１１は、所定の情報処理プログラムをメモリ１２を用いて実行することによって、上記情報処理を実行する。なお、情報処理装置２は、情報処理を実行することができればどのような構成であってもよく、例えば情報処理の一部または全部が専用回路によって実行されてもよい。本実施形態においては、上記情報処理によって情報処理装置２が画像を生成し、生成された画像が情報処理装置２から端末装置３およびテレビ４へ出力される。
【００４６】
プログラム記憶部１３は、上記情報処理プログラムを記憶する。プログラム記憶部１３は、ＣＰＵ１１がアクセス可能な任意の記憶装置である。プログラム記憶部１３は、例えばハードディスク等の、情報処理装置２に内蔵される記憶部であってもよいし、例えば光ディスク等の、情報処理装置２に着脱可能な記憶媒体であってもよい。
【００４７】
情報処理システム１は、端末装置３を含む。端末装置３は、表示部の一例であるＬＣＤ（液晶表示装置）１４を有する。本実施形態において、端末装置３は、可搬型（携帯型とも言う）の表示装置である。端末装置３は、情報処理装置２から送信されてくる画像を受信し、画像をＬＣＤ１４に表示する。
【００４８】
端末装置３は、入力部１５を有する。入力部１５はユーザの操作を検出し、ユーザの操作を表す操作データを出力する。つまり、端末装置３は入力装置（コントローラ）と言うこともできる。本実施形態においては、端末装置３は、入力部１５として、操作ボタンおよびタッチパネルを備える。タッチパネルは、ＬＣＤ１４の画面上に設けられる。なお、入力部１５は、例えば姿勢センサ（加速度センサやジャイロセンサ等）のような、端末装置３を動かす操作を検知することが可能なセンサシステムを含んでいてもよい。端末装置３は、入力部１５から出力される操作データを情報処理装置２へ送信する。このように、情報処理装置２は、入力装置である端末装置３からの入力を受け付けることが可能である。
【００４９】
上記のように、本実施形態においては、表示装置と操作装置とが一体として構成される。ただし、他の実施形態においては、表示装置と操作装置とが別体として設けられてもよい。
【００５０】
テレビ４は、画像を表示する表示装置の一例である。テレビ４は、据置型の表示装置の一例である。情報処理装置２からテレビ４へ画像が送信されてくる場合、テレビ４は当該画像を表示する。
【００５１】
このように、本実施形態においては、情報処理システム１は、２つの表示装置を備える構成である。なお、他の実施形態においては、情報処理システム１は、表示装置を少なくとも１つ備えていればよい。
【００５２】
上記情報処理システム１においては、端末装置３に対する入力に応じて情報処理装置２が情報処理を実行し、実行の結果得られた画像が端末装置３およびテレビ４に表示される。このように、本実施形態においては、情報処理システム１は、入力機能、情報処理機能、および表示機能が複数の装置によって実現される構成である。なお、他の実施形態においては、情報処理システム１は、これらの機能を有する単一の情報処理装置（例えば携帯型あるいは可搬型の情報処理装置）で構成されてもよい。また、他の実施形態においては、情報処理装置２の機能が複数の装置によって実現されてもよい。例えば、他の実施形態においては、情報処理装置２において実行される情報処理の少なくとも一部が、ネットワーク（広域ネットワークおよび／またはローカルネットワーク）によって通信可能な複数の装置によって分散して実行されてもよい。
【００５３】
［２．地図画像の表示］
次に、本実施形態における地図の表示（提示）方法について説明する。本実施形態において、情報処理システム１は、世界の各地におけるパノラマ画像をユーザに提供する機能を有している。ここで、情報処理システム１は、パノラマ画像が用意される各地点のうちのいくつかのおすすめの地点（おすすめスポット）をユーザに提示する際に、地図を用いる。以下、地図とともにユーザに提示されるべき情報（提示情報）としておすすめスポットの情報を地図上に表示する場合について説明する。
【００５４】
（端末装置３における表示）
図２は、おすすめスポットを提示する場合において端末装置３に表示される画像の一例を示す図である。また、図３は、おすすめスポットを提示する場合においてテレビ４に表示される画像の一例を示す図である。図２および図３に示すように、本実施形態においては、テレビ４において、おすすめスポットが付された地図（世界地図）が表示されるとともに、端末装置３のＬＣＤ１４において、おすすめスポットのリスト（の一部）が表示される。
【００５５】
図２に示すように、端末装置３には、予め設定される複数のおすすめスポットのリストが表示される。リストは、複数の提示情報（おすすめスポットの情報）が配置された提示情報群画像と言うことができる。また、本実施形態においては図２に示すように、リストにおいて、番号順おすすめスポットが並んで配置されている。そのため、リストは、提示情報が所定の順序に並んで配置された一覧画像と言うことができる。
【００５６】
本実施形態においては、リストにおいておすすめスポットを表す画像として、サムネイル画像２１、地名画像２２、および番号画像２３が、おすすめスポット毎に表示される。サムネイル画像２１は、おすすめスポットの地点における画像である。本実施形態において、サムネイル画像２１は、おすすめスポットのパノラマ画像から得られる。地名画像２２は、おすすめスポットの地名（地図上の位置とも言える）を示す。番号画像２３は、各おすすめスポットに付される番号を示す。この番号は、各おすすめスポットを識別するための識別情報であり、本実施形態においては、各おすすめスポットについて予め付与されるものとする。なお、おすすめスポットの画像として表示される内容は任意である。例えば他の実施形態においては、上記画像２１〜２３のうち１つまたは２つのみが表示されてもよいし、上記画像２１〜２３が表す情報に加えて（または代えて）、緯度経度情報等の他の情報を示す画像が表示されてもよい。
【００５７】
また、端末装置３には、おすすめスポットのリストの一部が表示される。具体的には、本実施形態においては、リストはスクロール可能に表示される。なお、本実施形態においては、スクロールバー２４およびスクロールつまみ２５が端末装置３に表示される（図２参照）。ユーザは、スクロールつまみ２５をスクロールバー２４上で上下に移動させる操作によって、リストを上下にスクロールさせることができる。なお、リストをスクロールさせるための操作はどのような操作であってもよく、例えば、ＬＣＤ１４上のタッチパネルに対する操作であってもよいし、十字キーやスティックを用いて方向を入力する操作であってもよい。また、リストのうちの表示範囲を変更する方法、すなわち、各おすすめスポットのうちで表示されるおすすめスポットを変更する方法は任意である。例えば他の実施形態においては、ページを切り替える方法で、表示されるおすすめスポットが変更されてもよい。また、他の実施形態においては、リストのうちの表示範囲が拡大／縮小されることによって、表示されるおすすめスポットが変更されてもよい。
【００５８】
図２に示す状態においては、番号が１〜３であるおすすめスポットがＬＣＤ１４の画面の中央付近（スクロール方向、すなわち、上下方向に関する中央付近）に表示されている。詳細は後述するが、本実施形態において、情報処理システム１は、リストに含まれるおすすめスポットのうちから、画面の中央付近に表示されている、いくつか（ここでは横に並んで配置される３つ）のおすすめスポットを選択する。例えば図２に示す状態においては、番号が１〜３であるおすすめスポットが選択される。このように、本実施形態においては、端末装置３を見ているユーザが現在注目していると推測されるおすすめスポットが選択される。
【００５９】
（テレビ４における表示）
図３は、図２に示す状態においてテレビ４に表示される地図を示す図である。図３に示すように、上記の状態においては、選択されたおすすめスポット、すなわち、番号が１〜３であるおすすめスポットが、地図上の位置に関連付けて表示される。具体的には、選択されたおすすめスポットを表す画像として、おすすめスポットの詳細画像３１が表示される。詳細画像３１は、後述する簡易画像３２よりもおすすめスポットに関する詳細な内容を示す。図３に示すように、本実施形態において、詳細画像３１は、端末装置３に表示される画像と同様の、サムネイル画像、地名画像、および番号画像を含む。なお、詳細画像３１の具体的な内容は任意である。例えば他の実施形態においては、上記３つの画像のうち１つまたは２つのみが詳細画像３１として表示されてもよいし、上記３つの画像が表す情報に加えて（または代えて）、他の情報を示す画像が詳細画像３１として表示されてもよい。
【００６０】
なお、詳細は後述するが、本実施形態においては、選択されていない他のおすすめスポット（番号が１〜３以外のおすすめスポット）については、簡易画像３２が地図上の位置に関連付けて表示される。本実施形態においては、簡易画像３２は、旗を模した画像であり、おすすめスポットの番号を示す。また、本実施形態においては、選択されているおすすめスポットについては、上記詳細画像３１と簡易画像３２の両方が表示される。つまり、本実施形態においては、地図上においては、選択中のおすすめスポットについて詳細画像３１および簡易画像３２が表示され、選択中でないおすすめスポットについて簡易画像３２が表示される。ただし、本実施形態においては、詳細画像３１は簡易画像３２よりも優先して表示されるので、簡易画像３２は詳細画像３１に隠れて表示されない場合もある。
【００６１】
（選択されるおすすめスポットの変更に応じた表示の変化）
図４は、図２に示す状態からリストの表示範囲が変更された場合において端末装置３に表示される画像の一例を示す図である。上述のように、端末装置３に表示されるリストはスクロール可能であり、リストがスクロールされると、ＬＣＤ１４の画面中央に表示されるおすすめスポットが変更される。図４においては、図２に示す状態からリストが下方向にスクロールされる結果、番号が４〜６であるおすすめスポットが画面中央に表示される。このとき、情報処理システム１は、番号が４〜６であるおすすめスポットを選択する。
【００６２】
図５は、図４に示す状態においてテレビ４に表示される画像の一例を示す図である。図５に示すように、上記状態においては、選択中のおすすめスポットである、番号が４〜６であるおすすめスポットについて、詳細画像３１が表示される。つまり、図３に示す状態から、詳細画像３１が表示されるおすすめスポットが変更される。
【００６３】
図６は、選択中のおすすめスポットが変更される場合における、端末装置３とテレビ４との表示の一例を示す図である。なお、図６においては、図面が複雑になることを避けるために、図２〜図５に比べて画像の一部（各画像２１〜２３，３１，および３２）を省略して示している。以上に説明したように、本実施形態において、情報処理システム１は、地図上の位置に関連付けられる複数のおすすめスポットのうちの一部（リストの一部）を端末装置３に表示させる（図２および図４）。また、情報処理システム１は、リストをスクロールして表示することによって、端末装置３に表示されるおすすめスポットをユーザの入力に応じて変更する（図６に示す左欄）。このとき、情報処理システム１は、端末装置３におけるおすすめスポットの表示が変更される（画面中央に表示されるおすすめスポットが変更される）ことに応じて、選択するおすすめスポットを変更する。ここで、テレビ４においては、地図とともに、選択されたおすすめスポットの詳細画像３１が地図上の位置に関連付けて表示される（図３、図５、および、図６に示す右欄）。
【００６４】
このように、本実施形態によれば、テレビ４には、地図上における複数のおすすめスポットのうちで、端末装置３側で表示される一部のおすすめスポットの詳細画像３１が表示される。したがって、地図上に多くのおすすめスポットが配置される場合であっても、おすすめスポットを見やすく表示することができる。
【００６５】
（選択中のおすすめスポットと選択中でないおすすめスポットとの提示情報の違い）
なお、本実施形態においては、選択されていないおすすめスポットについては、旗を模した画像である簡易画像３２が表示される（図３、図５）。つまり、選択されていないおすすめスポットについては、選択されているおすすめスポットとは異なる態様で表示される。これによって、選択されていないおすすめスポットについても地図上に表示されるので、選択されていないおすすめスポットについてもユーザに情報を提示することができる。例えば、選択されていないおすすめスポットがあることや、あるいは、おすすめスポットの大まかな数をユーザに認識させることができる。また、選択されていないおすすめスポットについても地図上の位置に関連付けて表示されるので、地図上のどの位置におすすめスポットがあるかをユーザに知らせることができる。
【００６６】
なお、本実施形態において、選択中のおすすめスポットについても簡易画像３２が表示されるものとするが、他の実施形態においては、選択中のおすすめスポットについて簡易画像３２が表示されなくてもよい。
【００６７】
なお、他の実施形態においては、情報処理システム１は、選択されていないおすすめスポットをテレビ４の地図上に表示しなくてもよい。つまり、選択されているおすすめスポットを地図上に表示する場合において、下記（ａ）および（ｂ）のいずれの方法であっても、「おすすめスポットを見やすく表示する」という効果を得ることができる。
（ａ）選択中のおすすめスポットを表す画像（詳細画像３１）を表示し、選択中でないおすすめスポットについて異なる表示態様の画像（簡易画像３２）を表示する方法（本実施形態の方法）
（ｂ）選択中のおすすめスポット（の画像）を表示し、選択中でないおすすめスポット（の画像）を表示しない方法
したがって、本実施形態においては、選択中のおすすめスポットとして詳細画像３１が表示される場合を例として説明したが、他の実施形態において、上記（ｂ）の方法を採用する場合には、選択中のおすすめスポットとして簡易画像３２が表示されてもよい。
【００６８】
また、本実施形態においては、テレビ４において、選択されているおすすめスポット（詳細画像３１）は、選択されていないおすすめスポット（簡易画像３２）よりも強調された表示態様で表示される（図３および図５）。したがって、選択されているおすすめスポットの方をユーザに注目させることができる。また、選択されているおすすめスポットを見やすく表示することができる。
【００６９】
なお、本実施形態においては、選択されているおすすめスポット（詳細画像３１）は、選択されていないおすすめスポット（簡易画像３２）よりも詳細な情報を提示する表示態様で表示される。この理由によっても、上記と同様、選択されているおすすめスポットの方をユーザに注目させることができる。また、選択されたおすすめスポットについてより多くの情報をユーザに提供することができる。
【００７０】
また、本実施形態においては、テレビ４における簡易画像３２は、おすすめスポットに付される番号を表す（図３および図５）。ここで、端末装置３においては、この番号の順序でおすすめスポットが配置されたリスト（の一部）が表示される。したがって、テレビ４においては、選択されていないおすすめスポットは、端末装置３における配置の順序を識別可能な表示態様で表示される。これによれば、ユーザは、テレビ４の地図を見ることによって、端末装置３に表示されるおすすめスポットの並びを認識（推測）することができる。例えば、その時点で端末装置３に表示されていないおすすめスポットを表示させたい場合、ユーザは、テレビ４の地図上に配置された簡易画像３２から、端末装置３の画面をどのようにスクロールすればよいかを判断することができる。したがって、上記によれば、端末装置３におけるおすすめスポットの選択操作（スクロール操作）をより行いやすくすることができる。
【００７１】
また、上記番号は、各おすすめスポットを識別可能な識別情報である。ここで、端末装置３には、識別情報（番号）を含む詳細画像３１が表示され、テレビ４においても、選択されないおすすめスポットについて、識別情報（番号）を含む簡易画像３２が表示される。このように、端末装置３において表示されるおすすめスポットとテレビ４において表示されるおすすめスポットとは、識別情報によって対応付けて表示される。これによれば、ユーザは、端末装置３におけるおすすめスポットとテレビ４におけるおすすめスポットとの対応を容易に認識することができるので、情報処理システム１は、おすすめスポットをよりわかりやすく表示することができる。
【００７２】
また、本実施形態においては、選択中のおすすめスポットが変更されることに応じて、選択されなくなったおすすめスポットの表示態様が変更される（図６の右欄）。つまり、選択されているおすすめスポットについては詳細画像３１が表示されるのに対して、選択されなくなったおすすめスポットについては簡易画像３２が表示される。このように、選択／非選択の変更に応じておすすめスポット（おすすめスポットを表す画像）の表示態様が切り替わるので、テレビ４を見るユーザに対して選択の変更をわかりやすく通知することができる。
【００７３】
（おすすめスポットの選択方法）
本実施形態においては、情報処理システム１は、端末装置３のＬＣＤ１４の画面中央付近に表示されるおすすめスポットを選択する（図６参照）。つまり、情報処理システム１は、リストのうちの端末装置３に表示される表示範囲と、リスト上におけるおすすめスポットの位置との位置関係が所定の位置関係となるおすすめスポットを選択する。なお、上記所定の位置関係とは、本実施形態においては、おすすめスポットを表す画像が（上下方向に関して）表示範囲の中央となる位置関係である。
【００７４】
おすすめスポットを選択するための具体的な方法は任意である。例えば、選択処理は、ＬＣＤ１４の画面上における各おすすめスポットの表示位置を用いて行われてもよい。すなわち、情報処理システム１は、おすすめスポットの上記表示位置が画面の中央の位置から所定距離内にあるか否かによって、そのおすすめスポットを選択するかしないかを判定することができる。また例えば、選択処理は、リスト上における上記表示範囲の位置を用いて行われてもよい。すなわち、情報処理システム１は、リスト上における上記表示範囲の位置から、画面の中央に表示されるおすすめスポット、すなわち、選択されるおすすめスポットを特定することができる。
【００７５】
本実施形態においては、情報処理システム１は、端末装置３に表示されていることを少なくとも条件としておすすめスポットを選択する（図６参照）。これによれば、端末装置３において表示されているおすすめスポットについて、テレビ４側においてもおすすめスポット（の詳細画像３１）が表示される。すなわち、表示中のおすすめスポットに関して端末装置３とテレビ４との間で同期をとることができ、おすすめスポットをよりわかりやすく表示することができる。
【００７６】
端末装置３に表示されていることを少なくとも条件としておすすめスポットを選択する方法の他の例としては、例えば以下の方法がある。すなわち、他の実施形態においては、情報処理システム１は、おすすめスポットの画像（各画像２１〜２３）の少なくとも一部が端末装置３に表示されている（全ての）おすすめスポットを選択するようにしてもよい。また、他の実施形態においては、情報処理システム１は、おすすめスポットの画像の全体が端末装置３に表示されているおすすめスポットを選択するようにしてもよい。
【００７７】
本実施形態においては、情報処理システム１は、端末装置３に表示されているおすすめスポットのうち、（提示情報群画像である）リストが表示される領域における中央から、リストのスクロール方向（ここでは上下方向）に所定距離以内となる範囲に表示されるおすすめスポットが選択される。したがって、端末装置３のユーザが注目していると推測される（注目している可能性が高い）おすすめスポットを選択することができる。ユーザが注目していると推測されるおすすめスポットがテレビ４に表示されるので、テレビ４を用いて有効な情報をユーザに提供することができる。また、テレビ４を他のユーザが見ている場合には、端末装置３のユーザがどのおすすめスポットに注目しているかを他のユーザに知らせることができる。なお、他の実施形態において、リストが上下方向および左右方向にスクロールする場合には、情報処理システム１は、リストの表示領域の中央から上下方向および／または左右方向に所定距離以内となる範囲に表示されるおすすめスポットを選択してもよい。
【００７８】
なお、情報処理システム１が行うおすすめスポットの選択は、パノラマ画像の再生処理を開始するためにユーザがおすすめスポットを指定することとは異なるものである点に留意する。本実施形態においては、端末装置３に表示されているおすすめスポットから１つを指定する指定入力がユーザによって行われると、指定されたおすすめスポットについてパノラマ画像の表示処理が実行される。ここで、上述したおすすめスポットの選択は、ユーザによる指定入力に依存して行われるのではなく、端末装置３におけるおすすめスポットの表示状況（例えば、リストの表示領域内の所定の範囲（位置）にどのおすすめスポットが表示されるか）に応じて行われる。すなわち、情報処理システム１は、ユーザによって指定された１つのおすすめスポットを選択するのではなく、地図上の位置に関連付けられる複数のおすすめスポットのうちから、上記表示状況に応じて２以上（本実施形態においては、３つ）のおすすめスポットを選択する。したがって、本実施形態においては、ユーザが指定入力を行う前に、複数のおすすめスポットが選択され、選択されたおすすめスポットがテレビ４において地図上の位置と関連付けて表示される（図３および図５）。これによれば、ユーザの指定前におすすめスポットをわかりやすく提示することができ、おすすめスポットを指定する入力が容易になる。なお、他の実施形態においては、上記表示状況に応じて１つのおすすめスポットが選択されてもよい。
【００７９】
（リスト表示と地図表示）
本実施形態においては、端末装置３においては、予め設定される複数のおすすめスポットのリストがスクロール可能に表示される。つまり、情報処理システム１は、リストのうちの表示範囲をユーザの入力に応じて移動させることで、端末装置３に表示されるおすすめスポットを変更する。したがって、端末装置３においては、ＬＣＤ１４の画面に一度に表示されるおすすめスポットは、予め設定される複数のおすすめスポットのうちの一部のおすすめスポットである。一方、テレビ４においては、地図の全体が表示される。つまり、情報処理システム１は、各おすすめスポットが関連付けられる各位置が含まれる範囲の地図をテレビ４に表示する。したがって、テレビ４においては、予め設定される複数のおすすめスポットを表示することが可能である。以上より、本実施形態においては、端末装置３において見やすい大きさでおすすめスポットを表示することができるとともに、テレビ４においてより多くのおすすめスポットを表示することができるので、複数のおすすめスポットをわかりやすくユーザに提示することができる。
【００８０】
なお、テレビ４に地図の全体が表示される場合、地図の中心が変更されてもよい。例えば図３においては地図の中心は日本付近であるが、所定の条件に応じて他の地域が中心となるように変更されてもよい。例えば、おすすめスポットがユーザによって指定されてパノラマ画像が再生された後で再度テレビ４に地図が表示される場合、前回に指定されたおすすめスポットに関連付けられる地点が中心となる地図が表示されてもよい。
【００８１】
また、本実施形態においては、情報処理システム１は、上記リストと地図とをそれぞれ別々の２つの表示装置に表示する。つまり、リストが表示される第１表示領域が設けられる表示装置（端末装置３）と、地図が表示される第２表示領域が設けられる表示装置（テレビ４）とは異なる。これによれば、例えば、第１のユーザが端末装置３を把持しておすすめスポットを見ている際において、第２のユーザは、テレビ４を見ることで、端末装置３にどのおすすめスポットが表示されているかを知ることができ、第１のユーザがどのおすすめスポットを見ているかを知ることができる。したがって、どのおすすめスポットを指定するかをユーザ同士で話し合うことができ、ユーザ間でコミュニケーションをとりながらおすすめスポットを指定することができる。例えば、端末装置３を用いる第１のユーザのみが指定入力を行うことができる場合であっても、第２のユーザは所望のおすすめスポットを指定するように第１のユーザに依頼することができる。このように、ユーザ同士でコミュニケーションをとりながらおすすめスポットを選ぶことで、選ぶ楽しさをユーザに体験させることができる。
【００８２】
なお、他の実施形態においては、情報処理システム１は１つの表示装置のみを含む構成であってもよい。このとき、情報処理システム１は、１つの表示装置のうちの第１表示領域にリスト（すなわち、本実施形態において端末装置３に表示する画像）を表示させ、第１表示領域とは異なる第２表示領域に地図（すなわち、本実施形態においてテレビ４に表示する画像）を表示させるようにしてもよい。
【００８３】
（おすすめスポットの指定に応じたパノラマ画像の再生）
本実施形態において、ユーザは、端末装置３において表示されているおすすめスポットのうち１つを指定する入力を行うことができる。この入力はどのような方法で行われてもよく、例えば、ＬＣＤ１４の画面上をタッチする入力で行われる。なお、指定可能なおすすめスポットは、表示中の全てのおすすめスポットであってもよいし、選択中のおすすめスポットのみであってもよい。
【００８４】
ユーザによって１つのおすすめスポットが指定されると、情報処理システム１は、おすすめスポットに関連付けられた情報処理を実行する。この情報処理の内容は任意であるが、本実施形態においては、おすすめスポットに関連付けられたパノラマ画像を再生する処理である。本実施形態において、情報処理システム１は、パノラマ画像を端末装置３およびテレビ４に表示させる。本実施形態においては、表示されるコンテンツ画像は静止画であるパノラマ画像とするが、他の実施形態においては、コンテンツ画像としてパノラマ動画が表示されてもよい。
【００８５】
本実施形態においては、パノラマ画像の再生中において、情報処理システム１は、パノラマ画像のうちで、ユーザによって操作される視線方向に応じた範囲の画像を端末装置３に表示する。つまり、ユーザは、端末装置３を用いた操作によって、所望の視線方向のパノラマ画像を端末装置３に表示させることができる。また、情報処理システム１は、パノラマ画像のうちで、所定の方向を向く視線方向に応じた範囲の画像をテレビ４に表示する。
【００８６】
上記のように、本実施形態においては、おすすめスポットが指定されると、指定されたおすすめスポットに関するコンテンツ画像（パノラマ画像）が端末装置３に表示されるとともに、当該指定されたおすすめスポットに関するコンテンツ画像がテレビ４に表示される。つまり、２つの表示装置において同じおすすめスポットについてのコンテンツ画像が表示される。これによって、複数のユーザで同じコンテンツ画像を見て楽しむことができる。なお、各表示装置に表示されるコンテンツ画像の内容は、同じであってもよいし異なっていてもよい。例えば本実施形態のように、同じパノラマ画像のうちの異なる視線方向の画像が各表示装置にそれぞれ表示されてもよい。
【００８７】
［３．地図表示処理の具体例］
以下、本実施形態において情報処理システム１（情報処理装置２）で実行される地図表示処理の具体的な一例について説明する。まず、地図表示処理において用いられる主なデータについて説明する。本実施形態において、上記地図表示処理においては、地図データ、おすすめスポットデータ、およびパノラマ画像データが用いられる。その他、上記地図表示処理においては、図２〜図５で示した画像を生成するために用いられる画像データ等が用いられる。
【００８８】
地図データは、テレビ４に表示される地図（地図画像）を生成するためのデータである。また、パノラマ画像データは、地図データが示す地図上における位置（地点）を視点とするパノラマ画像のデータである。パノラマ画像データは、地図上における複数の地点毎に用意され、各パノラマ画像データはそれぞれ、地図上の異なる地点に関連付けられている。
【００８９】
おすすめスポットデータは、地図上の各地点のうちから予め設定されるおすすめスポットに関する情報を示すデータである。図７は、おすすめスポットデータのデータ構造の一例を示す図である。図７に示すように、本実施形態においては、おすすめスポットデータは、上述の番号（識別情報）と、地名情報と、位置情報とをおすすめスポット毎に関連付けたデータである。地名情報は、おすすめスポットの地名を示す情報である。位置情報は、地図上の位置を示す情報である。
【００９０】
なお、情報処理装置２のＣＰＵ１１は、これらのデータ（地図データ、おすすめスポットデータ、およびパノラマ画像データ）を、情報処理装置２内の記憶部から取得してもよいし、情報処理装置２に着脱可能な記憶媒体から取得してもよいし、インターネット等のネットワークを介して他の装置から取得してもよい。
【００９１】
図８は、本実施形態において情報処理装置２（ＣＰＵ１１）が実行する地図表示処理の流れの一例を示すフローチャートである。本実施形態においては、図８に示す一連の処理は、ＣＰＵ１１が、プログラム記憶部１３に記憶される情報処理プログラムを実行することによって行われる。
【００９２】
なお、図８に示す地図表示処理が開始されるタイミングは任意である。本実施形態においては、上記情報処理プログラムが、パノラマ画像を再生するためのアプリケーションプログラムの一部として構成されるものとする。このとき、図８に示す地図表示処理は、上記アプリケーションプログラムを開始する指示をユーザが行ったことに応じて開始される。また、情報処理プログラム（アプリケーションプログラム）は、適宜のタイミングでその一部または全部がメモリ１２に読み出され、ＣＰＵ１１によって実行される。これによって、図８に示す一連の処理が開始される。なお、上記情報処理プログラム（アプリケーションプログラム）は、情報処理装置２内のプログラム記憶部１３に予め記憶されているものとする。ただし、他の実施形態においては、情報処理プログラムは、情報処理装置２に着脱可能な記憶媒体から取得されてメモリ１２に記憶されてもよいし、インターネット等のネットワークを介して他の装置から取得されてメモリ１２に記憶されてもよい。
【００９３】
なお、図８に示すフローチャートにおける各ステップの処理は、単なる一例に過ぎず、同様の結果が得られるのであれば、各ステップの処理順序を入れ替えてもよいし、各ステップの処理に加えて（または代えて）別の処理が実行されてもよい。また、本実施形態では、上記フローチャートの各ステップの処理をＣＰＵが実行するものとして説明するが、上記フローチャートにおける一部のステップの処理を、ＣＰＵ以外のプロセッサや専用回路が実行するようにしてもよい。
【００９４】
また、本実施形態においては、ＣＰＵ１１は、図８に示す地図表示処理を開始する前に、上述の地図データおよびおすすめスポットデータを取得しておく。また、地図表示処理の開始前において取得される地図データは、一部のデータ（例えば、縮尺に応じて複数の階層が設定される場合における一部の階層のデータ）のみであってもよい。取得された地図データおよびおすすめスポットデータはメモリ１２に記憶される。
【００９５】
ステップＳ１において、ＣＰＵ１１は、上記おすすめスポットのリストのうちで表示範囲を決定する。本実施形態においては、ＣＰＵ１１は、端末装置３から操作データを取得し、上記“（端末装置３における表示）”で述べた方法に従って、ユーザの入力に応じて表示範囲を制御する。表示範囲の変更によって、端末装置３に表示されるおすすめスポットが変更される。ステップＳ１の次にステップＳ２の処理が実行される。
【００９６】
ステップＳ２において、ＣＰＵ１１は、ステップＳ１で決定された表示範囲の画像を端末装置３に表示させる。すなわち、ＣＰＵ１１は、上記表示範囲の画像を生成して、生成された画像を端末装置３へ出力（送信）する。端末装置３は、生成された画像を受信してＬＣＤ１４に表示する。これによって、ＬＣＤ１４に上記リストの一部が表示される（図２および図４）。ステップＳ２の次にステップＳ３の処理が実行される。
【００９７】
ステップＳ３において、ＣＰＵ１１は、端末装置３に表示されるおすすめスポットの位置に基づいておすすめスポットを選択する。本実施形態においては、上記“（おすすめスポットの選択方法）”で述べた方法に従って複数（本実施形態においては３つ）のおすすめスポットが選択される。ＣＰＵ１１は、選択されたおすすめスポットを示す選択データ（例えば上記番号を示すデータ）をメモリ１２に記憶しておく。ステップＳ３の次にステップＳ４の処理が実行される。
【００９８】
ステップＳ４において、ＣＰＵ１１は、テレビ４に表示するための地図画像を生成する。本実施形態においては、上記“（テレビ４における表示）”および“（選択されているおすすめスポットと選択されていないおすすめスポットとの提示情報の違い）”で述べた方法に従って、地図画像が生成される。具体的には、ＣＰＵ１１は、上記地図データ、おすすめスポットデータ、選択データをメモリ１２から読み出し、これらのデータを用いて地図画像を生成する。なお、おすすめスポットの詳細画像３１および簡易画像３２は、おすすめスポットデータにおいて当該おすすめスポットに関連付けられている地図上の位置に関連付けて（当該位置を示すような態様で）配置される。上記ステップＳ４の処理によって、生成される地図画像には、選択されたおすすめスポットについて詳細画像３１（および簡易画像３２）が付加され、かつ、選択されていないおすすめスポットについて簡易画像３２が付加されることになる。ステップＳ４の次にステップＳ５の処理が実行される。
【００９９】
ステップＳ５において、ＣＰＵ１１は、ステップＳ４で生成された地図画像をテレビ４に表示させる。すなわち、ＣＰＵ１１は、生成された地図画像をテレビ４へ出力（送信）する。テレビ４は、生成された地図画像を受信して表示する。これによって、テレビ４には、地図画像とともに、選択されたおすすめスポット（詳細画像３１）等が地図上の位置に関連付けて表示される（図３および図５）。ステップＳ５の次にステップＳ６の処理が実行される。
【０１００】
ステップＳ６において、ＣＰＵ１１は、おすすめスポットがユーザによって指定されたか否かを判定する。本実施形態においては、ＣＰＵ１１は、端末装置３から操作データを取得し、上記“（おすすめスポットの指定に応じたパノラマ画像の再生）”で述べた方法に従って判定を行う。ステップＳ６の判定結果が肯定である場合、ステップＳ７の処理が実行される。一方、ステップＳ６の判定結果が否定である場合、ステップＳ７の処理がスキップされてステップＳ８の処理が実行される。
【０１０１】
ステップＳ７において、ＣＰＵ１１は、指定されたおすすめスポットに関連付けられるパノラマ画像を再生する処理を実行する。すなわち、ＣＰＵ１１は、おすすめスポットデータをメモリ１２から読み出し、おすすめスポットデータにおいて、指定されたおすすめスポットに関連付けられている地図上の位置（地点）を特定する。そして、ＣＰＵ１１は、特定した位置に関連付けられるパノラマ画像データを取得する。このようにして取得されたパノラマ画像データを用いて、上記“（おすすめスポットの指定に応じたパノラマ画像の再生）”で述べた方法に従ってパノラマ画像が各表示装置に表示される。なお、本実施形態において、ステップＳ７におけるパノラマ画像の再生処理は、ユーザによる指示（例えば、おすすめスポットのリストを表示する指示）に応じて終了される。このとき、後述のステップＳ８の処理において地図表示処理が終了しない場合には、端末装置３には再度リストが表示され、テレビ４には地図画像が再度表示される。ステップＳ７の処理が終了すると、ステップＳ８の処理が実行される。
【０１０２】
ステップＳ８において、ＣＰＵ１１は、地図表示処理を終了するか否かを判定する。この判定の具体的な方法は任意である。例えば、上記アプリケーションプログラムの実行を終了する旨の指示がユーザによって行われた場合、ＣＰＵ１１は、地図表示処理を終了すると判定し、ユーザによる指示がない場合には、地図表示処理を終了しないと判定する。ステップＳ８の判定結果が否定である場合、ステップＳ１の処理が再度実行される。以降、ステップＳ８において表示処理を終了すると判定されるまで、ステップＳ１〜Ｓ８の処理が繰り返し実行される。一方、ステップＳ８の判定結果が肯定である場合、ＣＰＵ１１は、図８に示す地図表示処理を終了する。
【０１０３】
［４．変形例］
（表示される仮想空間および提示情報に関する変形例）
上記実施形態における情報提示方法は、仮想空間とともに、当該仮想空間内の位置に関連付けて任意の情報を提示する場合に適用することが可能である。すなわち、上記実施形態においては、情報処理システム１は、仮想空間として地図を表す画像を表示するとともに、ユーザに提示する提示情報として、地図上の地点を表す画像（おすすめスポットの情報を表す画像２１〜２３）を当該地点に関連付けて表示するものであった。ただし、他の実施形態においては、表示する仮想空間は、地図に限らずどのようなものであってもよく、仮想空間内の位置に関連付けて表示する情報は、おすすめスポットの情報に限らずどのようなものであってもよい。例えば、他の実施形態においては、情報処理システムは、２次元（あるいは３次元）の数値を含む情報を、２次元（あるいは３次元）の座標系の空間に配置するものであってもよい。
【０１０４】
（地図表示に関する変形例）
上記実施形態においては、地図の全体がテレビ４に表示されたが、地図は状況によってはその一部がテレビ４に表示されてもよい。図９は、本実施形態の変形例においてテレビ４に表示される地図の一例を示す図である。例えば、選択された３つのおすすめスポットが地図上の一部の地域（例えば北米地域）に集まっている場合、情報処理システム１は、当該一部の地域を拡大して表示するようにしてもよい（図９参照）。このように、情報処理システム１は、選択されたおすすめスポットに関連付けられる位置が、地図のうちでテレビ４に表示される表示範囲に含まれるように、当該表示範囲を当該各位置に基づいて変化させてもよい。これによれば、おすすめスポットを見やすく表示することができる。なお、選択されたおすすめスポットの位置に基づいて地図の表示範囲を変化させる方法は、表示範囲を拡大／縮小するものに限らない。例えば、上記方法の他の例として、地図のうちの一部を表示範囲とし、選択されたおすすめスポットの位置に基づいて表示範囲を移動させる方法が考えられる。
【産業上の利用可能性】
【０１０５】
上記実施形態は、仮想空間とともに提示される情報を見やすく表示すること等を目的として、例えば地図上の位置に関連付けて情報を提示するための情報処理システム等に利用することができる。
【符号の説明】
【０１０６】
１  情報処理システム
２  報処理装置
３  端末装置
４  テレビ
１１  ＣＰＵ
１２  メモリ
１３  プログラム記憶部
１４  ＬＣＤ
１５  入力部
２１  サムネイル画像
２２  地名画像
２３  番号画像
３１  詳細画像
３２  簡易画像
【図１】
2014182714.tif 000003
【図２】
2014182714.tif 000004
【図３】
2014182714.tif 000005
【図４】
2014182714.tif 000006
【図５】
2014182714.tif 000007
【図６】
2014182714.tif 000008
【図７】
2014182714.tif 000009
【図８】
2014182714.tif 000010
【図９】
2014182714.tif 000011